(57)【要約】    【課題】  製造簡易にして、床面との間に高い摩擦地力が得られ、ドアを確実に固定することができるドアストッパを提供する。    【解決手段】  底部に設けられ床面100に接する座面３と、座面３に対して傾斜しかつドア下端102が接するドア係止面４，５とを備える。座面３には、該座面３より摩擦係数が大きく弾性を有する弾性部材７を、ドア係止面４，５の傾斜方向と交差方向に設ける。この弾性部材７は座面３より下方に突出し、弾性部材７から離れた座面３の両先端側に、床面100に接する当接部９，９を備える。ドア下端102がドア係止面４，５に乗り上げるようにドア101を開閉すると、くさび作用により、座面３を床面100に押し付ける垂直力が発生し、この垂直力が部分的に座面３から突出する弾性部材７に加わることにより、弾性部材７と床面３との間に高い摩擦力が得られる。    【選択図】  図２
0003107983.tif 000002
【実用新案登録請求の範囲】
【請求項１】
底部に設けられ床面に接する座面と、前記座面に対して傾斜しかつドア下端が接するドア係止面とを備えたドアストッパにおいて、前記座面には、該座面より摩擦係数が大きく弾性を有する弾性部材を、前記ドア係止面の傾斜方向と交差方向に設け、前記弾性部材は前記座面より下方に突出し、前記弾性部材から離れた前記座面の先端側に、前記床面に接する当接部を備えることを特徴とするドアストッパ。
【請求項２】
前記弾性部材は、前記床面にほぼ線状に接触することを特徴とする請求項１記載のドアストッパ。
【請求項３】
中央部から一側に向って低くなる前記ドア係止面と、前記中央部から他側に向って低くなる前記ドア係止面とを備え、前記弾性部材は、前記中央部に対応して、前記座面に設けられていることを特徴とする請求項２記載のドアストッパ。
【請求項４】
前記弾性部材を中心として一側と他側がほぼ対称な形状をなすことを特徴とする請求項３記載のドアストッパ。
【考案の詳細な説明】
【技術分野】
【０００１】
本考案は、ドアを開放状態のまま保持させる場合に用いるドアストッパに関する。
【背景技術】
【０００２】
この種のドアストッパは、片開き式の開閉扉であるドアを、所望の開度に保持するために用いられ、ドアの下端と床面との間に挿入する楔状のものが広く知られている（例えば特許文献１〜３）。
【０００３】
また、上記特許文献１のドアストッパでは、床面に接する第１面とこの第１面に対して傾斜しかつドア下端が接する第２面とを少なくとも有して楔状に形成され、前記第２面の摩擦係数が前記第１面の摩擦係数より小さく設定され、前記第２面はほぼ平坦面に形成されている。
【特許文献１】特開平１１−１７２９８６号公報
【特許文献２】特開２００１−３２６０４号公報
【特許文献３】特開２００２−８９１１８号公報
【考案の開示】
【考案が解決しようとする課題】
【０００４】
上記特許文献１のドアストッパでは、床面に接する第１面の摩擦係数を大きくすることにより、床面と第１面との摩擦を大きくするようにしているが、その第１面は平坦に形成されており、床面にその第１面が広い面積で面接触するから、摩擦力を有効に発揮することができず、また、基台の第１素面の全面に、ゴム等の第１面側部材を接合するものであるから、素面の全面に接着などによる接合作業が必要となり、床面と接する第１面の加工費などが嵩むことが予想される。
【０００５】
そこで、本考案は、製造簡易にして、床面との間に高い摩擦力が得られ、ドアを確実に固定することができるドアストッパを提供することを目的とする。
【課題を解決するための手段】
【０００６】
請求項１の考案は、底部に設けられ床面に接する座面と、前記座面に対して傾斜しかつドア下端が接するドア係止面とを備えたドアストッパにおいて、前記座面には、該座面より摩擦係数が大きく弾性を有する弾性部材を、前記ドア係止面の傾斜方向と交差方向に設け、前記弾性部材は前記座面より下方に突出し、前記弾性部材から離れた前記座面の先端側に、前記床面に接する当接部を備えるものである。
【０００７】
また、請求項２の考案は、前記弾性部材は、前記床面にほぼ線状に接触するものである。
【０００８】
また、請求項３の考案は、中央部から一側に向って低くなる前記ドア係止面と、前記中央部から他側に向って低くなる前記ドア係止面とを備え、前記弾性部材は、前記中央部に対応して、前記座面に設けられているものである。
【０００９】
また、請求項４の考案は、前記弾性部材を中心として一側と他側がほぼ対称な形状をなすものである。
【考案の効果】
【００１０】
請求項１の構成によれば、ドア下端がドア係止面に乗り上げるようにドアを開閉すると、くさび作用により、座面を床面に押し付ける垂直力が発生し、この垂直力が部分的に座面から突出する弾性部材に加わることにより、弾性部材と床面との間に高い摩擦力が得られ、しかも、弾性部材が床面に圧設すると共に、該弾性部材を支点とした梃子の原理で、座面の先端側の当接部が床面に押し当てられてドアを確実に固定することができる。さらに、弾性部材は、ドア係止面の傾斜方向と交差方向であって、ドアの開閉方向と交差する方向であるから、ドアの開閉方向に対して高い摩擦力を得ることができる。
【００１１】
そして、摩擦力を発生させる部分は、座面に設けた弾性部材が主であり、座面やドア係止面を形成する部分の材質を問わないため、意匠を凝らすことができると共に、コスト・用途に応じた材質を用いることができ、形状を比較的自由にデザインすることができる。
【００１２】
また、請求項２の構成によれば、ドア下端により座面を床面に押し付ける垂直力が加わると、ほぼ線状に接触する弾性部材が床面に圧設すると共に、該弾性部材を支点とした梃子の原理で、座面の先端側の当接部が床面に押し当てられ、確実な固定状態が得られる。
【００１３】
また、請求項３の構成によれば、一側及び他側を選択して使用することができ、前記中央部に対応して設けた弾性部材により確実な固定状態が得られる。
【００１４】
また、請求項４の構成によれば、一側と他側とでほぼ対称な形状をなすため、一側及び他側のどちらでも同様に使用することができ、弾性部材は、中央に位置するから、一側及び他側のどちらでも同様な固定状態が得られる。
【考案を実施するための最良の形態】
【００１５】
本考案における好適な実施の形態について、添付図面を参照しながら詳細に説明する。なお、以下に説明する実施の形態は、実用新案登録請求の範囲に記載された本考案の内容を限定するものではない。また、以下に説明される構成の全てが、本考案の必須要件であるとは限らない。各実施例では、従来とは異なるドアストッパを採用することにより、従来にない機能を付加したドアストッパが得られ、そのドアストッパを夫々記述する。
【実施例１】
【００１６】
以下、本考案の実施形態を添付図面を参照して説明する。図１〜図３は本考案の実施例１を示す。同図に示すように、ドアストッパ１は本体２を有し、この本体２は、その底部に、床面100に接する平坦な座面３を設け、この座面３に対して傾斜しかつドア101の下端102が接するドア係止面４，５を備え、これら係止面４，５は本体２の中央部６から一側，他側に向って低くなる傾斜をなす。尚、前記本体２は、木，ステンレスやアルミなどの金属、あるいは樹脂等の各種の材料から形成される。また、前記ドア101は、一側を回動可能に枢着して該一側を中心に開閉するものである。
【００１７】
前記座面３の長さ方向中央には、弾性部材７が設けられ、この弾性部材７は、前記座面３より摩擦係数が大きく、弾性を有するゴム等から構成され、この例では断面円形のものを接着などにより座面３に固定し、詳細には座面３に略半円形の溝８を幅方向に形成し、この溝８に前記弾性部材７を接着固定し、弾性部材７の断面の略半分を前記座面３より下方に突出している。そして、この弾性部材７から離れた座面３の両端側が、前記床面100に接する当接部９，９となる。
【００１８】
そして、この例では、座面３と傾斜面４，５とが二等辺三角形の形状をなし、本体２は中央部６を中心にして、ドア係止面４側である一側と、ドア係止面５である他側が対称な形状をなす。
【００１９】
次に、前記ドアストッパ１の使用方法について説明すると、ドア101の開閉方向に一方のドア係止面４を向けると共に、本体２の長さ方向を合せて、ドストッパ１を床面100に載置し、ドア101を開閉すると、ドア101の下端102がドア係止面４に乗り上げ、くさび作用により、ドアストッパ１に垂直力が加わる。この垂直力により弾性部材７が弾性変形を伴って座面３に圧接し、該弾性部材７を支点として、該弾性部材７から離れた当接部９が座面３に圧接し、ドアストッパ１の確実な固定状態が得られる。また、ドア係止面５側を用いてドア101を同様に固定することができる。
【００２０】
このように、従来のストッパであれば、ドアが固定されるまで、強く押し付けるなど、操作に力を要したが、本実施例のドアストッパでは、ドアの閉まる力が直接的に摩擦力として床面３に作用するため、ドア101と床面100の隙間に配置するだけでストッパとして機能を発揮できる。
【００２１】
このように本実施例では、請求項１に対応して、底部に設けられ床面100に接する座面３と、座面３に対して傾斜しかつドア下端102が接するドア係止面４，５とを備えたドアストッパ１において、座面３には、該座面３より摩擦係数が大きく弾性を有する弾性部材７を、ドア係止面４，５の傾斜方向と交差方向に設け、弾性部材７は座面３より下方に突出し、弾性部材７から離れた座面３の両先端側に、床面100に接する当接部９，９を備えるから、ドア下端102がドア係止面４，５に乗り上げるようにドア101を開閉すると、くさび作用により、座面３を床面100に押し付ける垂直力が発生し、この垂直力が部分的に座面３から突出する弾性部材７に加わることにより、弾性部材７と床面３との間に高い摩擦力が得られ、しかも、弾性部材７が床面100に圧設すると共に、該弾性部材７を支点とした梃子の原理で、座面３の先端側の当接部９が床面100に押し当てられてドア101を確実に固定することができる。さらに、弾性部材７は、ドア係止面４，５の傾斜方向と交差方向であって、ドア101の開閉方向と交差する方向であるから、ドア101の開閉方向に対して高い摩擦力を得ることができる。
【００２２】
そして、摩擦力を発生させる部分は、座面３に設けた弾性部材７が主であり、座面３やドア係止面４，５を形成する部分の材質を問わないため、意匠を凝らすことができると共に、コスト・用途に応じた材質を用いることができ、形状を比較的自由にデザインすることができる。
【００２３】
また、このように本実施例では、請求項２に対応して、弾性部材７は、床面３にほぼ線状に接触するから、ドア下端102により座面３を床面100に押し付ける垂直力が加わると、ほぼ線状に接触する弾性部材７が床面100に圧設すると共に、該弾性部材７を支点とした梃子の原理で、座面３の先端側の当接部が床面100に押し当てられ、確実な固定状態が得られる。
【００２４】
また、このように本実施例では、請求項３に対応して、中央部６から一側に向って低くなるドア係止面４と、中央部６から他側に向って低くなるドア係止面５とを備え、弾性部材７は、中央部６に対応して、座面３に設けられているから、一側及び他側を選択して使用することができ、中央部６に対応して設けた弾性部材により確実な固定状態が得られる。
【００２５】
また、このように本実施例では、請求項４に対応して、弾性部材７を中心として一側と他側がほぼ対称な形状をなすから、一側及び他側のどちらでも同様に使用することができ、弾性部材７は、中央に位置するから、一側及び他側のどちらでも同様な固定状態が得られる。
【実施例２】
【００２６】
図４は本考案の実施例２を示し、上記実施例１と同一部分に同一符号を付し、その詳細な説明を省略して詳述すると、この例では、ドア係止面４Ａ，５Ａを湾曲状に形成した例であり、このようにドア係止面４Ａ，５Ａは湾曲状に傾斜していてもよく、この例においても、請求項１〜４に対応して、上記各実施例と同様な作用・効果を奏する。
【実施例３】
【００２７】
図５は本考案の実施例３を示し、上記各実施例と同一部分に同一符号を付し、その詳細な説明を省略して詳述すると、この例では、ドア係止面４，５Ｂの傾斜角度が異なり、ドアストッパ１は中央部６を中心に一側と他側で非対称である。また、弾性部材７は、下部を断面略三角形に形成し、その三角形の頂点部10を座面３から下方に突設している。
【００２８】
この例では、ドア係止面４，５Ｂの傾斜角度が異なるから、使用するドアに合せて、ドア係止面４，５Ｂの一方を選択的に使用することができ、また、弾性部材７の下部に頂点部10を有するから、同様に座面100にほぼ線状に接触し、請求項１，２及び３に対応して、上記各実施例と同様な作用・効果を奏する。
【実施例４】
【００２９】
図６は本発明の実施例４を示し、上記各実施例と同一部分に同一符号を付し、その詳細な説明を省略して詳述すると、この例では、本体２は１つのドア係止面４を備えるものであり、この例においても、請求項１及び２に対応して上記各実施例と同様な作用・効果を奏し、また、この例では、本体２の弾性部材７側の意匠を自由に選定することができる。
【００３０】
なお、本考案は、前記実施例に限定されるものではなく、種々の変形実施が可能である。例えば、実施例では、弾性部材を、ドア傾斜面の傾斜方向と直交して配置した例を示したが、交差していればよい。
【図面の簡単な説明】
【００３１】
【図１】本考案の実施例１を示す斜視図である。
【図２】同上、使用状態の断面図である。
【図３】同上、底面図である。
【図４】本考案の実施例２を示す使用状態の断面図である。
【図５】本考案の実施例３を示す側面図である。
【図６】本考案の実施例４を示す側面図である。
【符号の説明】
【００３２】
１  ドアストッパ
３  座面
４，４Ａ  ドア係止面
５，５Ａ，５Ｂ  ドア係止面
６  中央部
７  弾性部材
９  当接部
100  床面
101  ドア
102  下端
【図１】
0003107983.tif 000003
【図２】
0003107983.tif 000004
【図３】
0003107983.tif 000005
【図４】
0003107983.tif 000006
【図５】
0003107983.tif 000007
【図６】
0003107983.tif 000008